(57)【要約】  補強部材を配置する際に、塗料がかご室壁の意匠面側に垂れることを防止することができるエレベータのかご室壁を得る。隣接するかご室壁同士が互いに連結されて、エレベータのかご室の内壁面を構成するエレベータのかご室壁であって、隣接するかご室壁と連結するための穴およびかご内機器を取り付けるための穴の少なくとも一方が形成された表板と、表板に形成された穴に対応して、表板に形成された穴よりも直径の小さい第１穴が形成された補強部材と、を備え、補強部材には、補強部材を表板に固定した場合に、一部が表板に形成された穴に露出する第２穴が、第１穴の周囲に形成されている。
2017221418.tif 000002
【特許請求の範囲】
【請求項１】
隣接するかご室壁同士が互いに連結されて、エレベータのかご室の内壁面を構成するエレベータのかご室壁であって、
隣接するかご室壁と連結するための穴およびかご内機器を取り付けるための穴の少なくとも一方が形成された表板と、
前記表板に形成された穴に対応して、前記表板に形成された穴よりも直径の小さい第１穴が形成された補強部材と、を備え、
前記補強部材には、前記補強部材を前記表板に固定した場合に、一部が前記表板に形成された穴に露出する第２穴が、前記第１穴の周囲に形成されている
エレベータのかご室壁。
【請求項２】
前記表板に形成された穴は、径方向外側に延びる切り欠きを有し、
前記第２穴は、前記切り欠きの端部に位置している
請求項１に記載のエレベータのかご室壁。
【請求項３】
前記第２穴は、前記補強部材に複数形成されている
請求項１または請求項２に記載のエレベータのかご室壁。
【請求項４】
前記表板に形成された穴に、前記補強部材に向けて直径が拡大する傾斜が設けられている
請求項１から請求項３までのいずれか１項に記載のエレベータのかご室壁。
【発明の詳細な説明】
【技術分野】
【０００１】
この発明は、隣接するかご室壁同士が互いに連結されて、エレベータのかご室の内壁面を構成するエレベータのかご室壁に関する。
【背景技術】
【０００２】
従来から、溶接ナットが設けられた座板を、かご室壁の裏面にあらかじめ取り付け、エレベータのかご内からの作業により、締結ねじであるボルトを座板の溶接ナットに螺合することで、手摺棒の支持具をかご室壁に固定することが提案されている（例えば、特許文献１参照）。【０００３】
特許文献１において、かご室壁には、ボルトを挿入するためのボルト用穴が形成されており、かご室壁の裏面に取り付けられた座板には、支持具をかご室壁に固定するためのナットが溶接されている。このとき、ボルト用穴の直径の方が、ナットのねじ穴の直径よりも大きくなる。【０００４】
また、一般的に、エレベータのかご室壁について、かご室壁同士を連結する部位や、手摺や鏡等のかご内機器を取り付ける部位に、座板等の取り付け金を含む補強部材を配置する場合には、かご室壁の表板および補強部材に連結用または取り付け用の穴が形成される。ここで、表板に形成される穴の直径は、補強部材に形成される穴の直径よりも大きくする必要がある。
【先行技術文献】
【特許文献】
【０００５】
【特許文献１】特開平７−９７１６３号公報
【発明の概要】
【発明が解決しようとする課題】
【０００６】
しかしながら、かご室壁の表板に補強部材を固定した状態で表板および補強部材を塗装する場合、表板に形成される穴の直径の方が、補強部材に形成される穴の直径よりも大きいので、塗料がかご室壁の表面である意匠面側に垂れてしまい、そのまま乾燥させると意匠性が低下するという問題がある。【０００７】
また、塗料がかご室壁の意匠面側に垂れた状態で乾燥させると、塗料の垂れによる盛り上がりにより、かご室壁同士を連結した面や、かご内機器の取り付け面において、きしみ音が発生したり、塗装が割れたりするという問題もある。【０００８】
この発明は、上記のような課題を解決するためになされたものであり、補強部材を配置する際に、塗料がかご室壁の意匠面側に垂れることを防止することができるエレベータのかご室壁を得ることを目的とする。
【課題を解決するための手段】
【０００９】
この発明に係るエレベータのかご室壁は、隣接するかご室壁同士が互いに連結されて、エレベータのかご室の内壁面を構成するエレベータのかご室壁であって、隣接するかご室壁と連結するための穴およびかご内機器を取り付けるための穴の少なくとも一方が形成された表板と、表板に形成された穴に対応して、表板に形成された穴よりも直径の小さい第１穴が形成された補強部材と、を備え、補強部材には、補強部材を表板に固定した場合に、一部が表板に形成された穴に露出する第２穴が、第１穴の周囲に形成されているものである。
【発明の効果】
【００１０】
この発明に係るエレベータのかご室壁によれば、表板には、隣接するかご室壁と連結するための穴およびかご内機器を取り付けるための穴の少なくとも一方が形成され、補強部材には、表板に形成された穴に対応し、表板に形成された穴よりも直径の小さい第１穴と、第１穴の周囲に、補強部材を表板に固定した際、一部が表板に形成された穴に露出する第２穴とが形成されている。
そのため、補強部材を配置する際に、塗料がかご室壁の意匠面側に垂れることを防止することができる。
【図面の簡単な説明】
【００１１】
【図１】この発明の実施の形態１に係るエレベータのかご室壁が適用されたエレベータのかごを示す斜視図である。
【図２】図１に示したかごを、かご出入口から見た正面図である。
【図３】図１に示したかごを、Ｉ−Ｉ線を通る水平面で切断した断面図である。
【図４】図３に示したかご室壁を抜粋して示す斜視図である。
【図５】図４に示したかご室壁を、ＩＩ−ＩＩ線を通る水平面で切断した断面図である。
【図６】従来のエレベータのかご室壁における連結用穴周辺の構造を示す側面図および断面図である。
【図７】この発明の実施の形態１に係るエレベータのかご室壁における連結用穴周辺の構造を示す側面図および断面図である。
【図８】この発明の実施の形態１に係るエレベータのかご室壁における連結用穴周辺の構造を示す別の側面図である。
【図９】この発明の実施の形態１に係るエレベータのかご室壁を示す別の斜視図である。
【発明を実施するための形態】
【００１２】
以下、この発明に係るエレベータのかご室壁の好適な実施の形態につき図面を用いて説明するが、各図において同一、または相当する部分については、同一符号を付して説明する。
【００１３】
実施の形態１．
図１は、この発明の実施の形態１に係るエレベータのかご室壁が適用されたエレベータのかごを示す斜視図である。図１において、かご１は、建物の昇降路２内を昇降可能に設けられている。また、かご１の前面には、かご出入口を開閉するかごドア３が設けられている。
【００１４】
図２は、図１に示したかごを、かご出入口から見た正面図である。図２において、かご１の下部には、かご床４が設けられ、かご１の上部には、天井５が設けられている。また、かご１の左右両側面および背面には、かご室の内壁面を構成するかご室壁１０が設けられている。また、かご室壁１０とかご床４との間には、巾木６が設けられている。
【００１５】
次に、図３〜５を参照しながら、この発明の実施の形態１に係るエレベータのかご室壁の構造について説明する。図３は、図１に示したかごを、Ｉ−Ｉ線を通る水平面で切断した断面図である。図４は、図３に示したかご室壁を抜粋して示す斜視図である。また、図５は、図４に示したかご室壁を、ＩＩ−ＩＩ線を通る水平面で切断した断面図である。
【００１６】
図３〜５において、かご室の内壁面は、隣接するかご室壁１０同士が互いに連結されて構成されている。かご室壁１０は、表板１１と、断面コの字形状の補強部材１２と、かご室壁１０を補強する縦補強材１３とを有している。また、補強部材１２は、リベット等の固定部材１４により表板１１に固定され、縦補強材１３は、接着等により表板１１に固定されている。
【００１７】
表板１１は、隣接するかご室壁１０と連結される連結部を両側部に有している。また、連結部には、かご室壁１０同士を連結するための連結部材である図示しないボルトを挿入する連結用穴１１ａが形成されている。
【００１８】
補強部材１２は、かご室壁１０同士を連結するためのボルトを挿入する連結用穴１２ａが形成され、連結部に固定されて、かご室側からの荷重に対して表板１１を支える。なお、隣接するかご室壁１０同士は、連結部の連結用穴１１ａおよび補強部材１２の連結用穴１２ａを介して、ボルトとナットとを締結することで連結される。
【００１９】
また、補強部材１２は、連結部の上部に形成された固定用穴１１ｂおよび補強部材１２の上部に形成された固定用穴１２ｂ、並びに連結部の下部に形成された固定用穴１１ｃおよび補強部材１２の下部に形成された固定用穴１２ｃのそれぞれを介して、固定部材１４により連結部に固定されている。
【００２０】
また、連結部の上部には、かご室壁１０同士を連結させる際に、連結部から突出した固定部材１４を回避する逃がし穴１１ｄが形成され、補強部材１２の上部にも、連結部から突出した固定部材１４を回避する逃がし穴１２ｄが形成されている。
【００２１】
また、連結部の下部には、かご室壁１０同士を連結させる際に、連結部から突出した固定部材１４を回避する逃がし穴１１ｅが形成され、補強部材１２の下部にも、連結部から突出した固定部材１４を回避する逃がし穴１２ｅが形成されている。
【００２２】
続いて、図６、７を参照しながら、この発明の実施の形態１に係るエレベータのかご室壁の連結用穴周辺の構造について、従来技術と比較しながら説明する。図６は、従来のエレベータのかご室壁における連結用穴周辺の構造を示す側面図および断面図である。また、図７は、この発明の実施の形態１に係るエレベータのかご室壁における連結用穴周辺の構造を示す側面図および断面図である。
【００２３】
図６において、表板１１に形成された連結用穴１１ａの直径の方が、補強部材１２に形成された連結用穴１２ａの直径よりも大きいので、互いに固定された表板１１および補強部材１２を塗装した場合に、塗料がかご室壁１０の表面である意匠面側に垂れてしまう。その結果、かご室壁１０の意匠面側に塗料の垂れ２０が残ることになる。
【００２４】
かご室壁１０の意匠面側に塗料の垂れ２０が残ることにより、上述したように、意匠性が低下するばかりでなく、塗料の垂れ２０による盛り上がりにより、かご室壁１０同士を連結した面において、きしみ音が発生したり、塗装が割れたりする。
【００２５】
一方、図７において、表板１１に形成された連結用穴１１ａの直径の方が、補強部材１２に形成された第１穴である連結用穴１２ａの直径よりも大きいものの、連結用穴１２ａの周囲には、一部が表板１１に形成された連結用穴１１ａに露出する第２穴である塗料抜き穴１２ｆが４箇所形成されている。
【００２６】
これにより、互いに固定された表板１１および補強部材１２を塗装した場合に、塗料が塗料抜き穴１２ｆからかご室壁１０の裏面に抜けて、意匠面とは反対側に塗料の垂れ２０が残ることになる。
【００２７】
かご室壁１０の意匠面とは反対側に塗料の垂れ２０が残ることにより、意匠性を低下させることがない。また、かご室壁１０の意匠面がフラットになるので、かご室壁１０同士を連結した面において、きしみ音が発生したり、塗装が割れたりすることがない。
【００２８】
なお、図７において、塗料抜き穴１２ｆが４箇所形成されているのは、かご室壁１０の向きによらず、塗料を塗料抜き穴１２ｆからかご室壁１０の裏面に抜くためである。また、表板１１に形成された連結用穴１１ａに、補強部材１２に向けて直径が拡大する傾斜を設けることにより、塗料を確実に塗料抜き穴１２ｆからかご室壁１０の裏面に抜くことができる。
【００２９】
以上のように、実施の形態１によれば、表板には、隣接するかご室壁と連結するための穴およびかご内機器を取り付けるための穴の少なくとも一方が形成され、補強部材には、表板に形成された穴に対応し、表板に形成された穴よりも直径の小さい第１穴と、第１穴の周囲に、補強部材を表板に固定した際、一部が表板に形成された穴に露出する第２穴とが形成されている。
そのため、補強部材を配置する際に、塗料がかご室壁の意匠面側に垂れることを防止することができる。
すなわち、かご室壁の意匠性を低下させることがなく、かご室壁同士を連結した面において、きしみ音が発生したり、塗装が割れたりすることもない。
【００３０】
なお、上記実施の形態１では、連結用穴１２ａの周囲に、一部が連結用穴１１ａに露出する塗料抜き穴１２ｆが形成されていると説明した。しかしながら、これに限定されず、塗料抜き穴１２ｆは、図８に示されるように形成されてもよい。
【００３１】
図８は、この発明の実施の形態１に係るエレベータのかご室壁における連結用穴周辺の構造を示す別の側面図である。図８において、表板１１に形成された連結用穴１１ａは、径方向外側に延びる切り欠き１１ｆを有し、塗料抜き穴１２ｆは、切り欠き１１ｆの端部に位置している。
【００３２】
このように、塗料抜き穴１２ｆを、連結用穴１１ａの切り欠き１１ｆの端部に位置するように形成することにより、図７に示したように、連結用穴１２ａの周囲に塗料抜き穴１２ｆを形成した場合に、連結用穴１２ａと塗料抜き穴１２ｆとが近くなるようなときに、連結用穴１２ａと塗料抜き穴１２ｆとを離すことができる。
【００３３】
また、上記実施の形態１では、隣接するかご室壁と連結するための連結用穴を例に挙げて説明した。しかしながら、これに限定されず、この発明は、かご内機器を取り付けるための取り付け用穴にも適用することができる。
【００３４】
図９は、この発明の実施の形態１に係るエレベータのかご室壁を示す別の斜視図である。図９において、表板１１の裏面には、補強部材である座板１５が、接着等により固定されている。
【００３５】
また、表板１１には、かご内機器を取り付けるための取り付け部材であるボルトを挿入する取り付け用穴１１ｇが形成されている。また、座板１５には、かご内機器を取り付けるためのボルトを挿入する取り付け用穴１５ａが形成されている。
【００３６】
ここで、取り付け用穴１１ｇと取り付け用穴１５ａとの関係は、図７に示した連結用穴１１ａと連結用穴１２ａとの関係と同様である。そこで、取り付け用穴１５ａの周囲に、一部が取り付け用穴１１ｇに露出する塗料抜き穴を形成することにより、塗料を塗料抜き穴からかご室壁１０の裏面に抜くことができる。
【図１】
2017221418.tif 000003
【図２】
2017221418.tif 000004
【図３】
2017221418.tif 000005
【図４】
2017221418.tif 000006
【図５】
2017221418.tif 000007
【図６】
2017221418.tif 000008
【図７】
2017221418.tif 000009
【図８】
2017221418.tif 000010
【図９】
2017221418.tif 000011
【国際調査報告】
2017221418.tif 000012
2017221418.tif 000013
2017221418.tif 000014
2017221418.tif 000015